(57)【特許請求の範囲】
【請求項１】
戸の端面から戸枠方向へ同期的に突出する鎌片とデッドボルトとを備える戸用面付け錠に於いて、ケース本体７内に、その取付け基部に連設する一端部にピン状の駆動軸２２を有し、かつ、前記取付け基部が表側の摘み３と中心回動軸２１を介して一体的に固定され、かつ前記摘み３と一体不可分に回動する第１駆動板２０を設け、またケース本体７内に、鎌片３０の垂直部を軸支する固定支軸１５を設け、前記摘み３の前記中心回動軸２１を基準にして弧状に揺動する前記駆動軸２２に、鎌片３０の垂直部に形成した垂直案内長孔３２と、この垂直案内長孔３２と常に重なり合うデッドボルト３５の係合孔３７とを嵌め合わせたことを特徴とする戸用面付け錠。
【請求項２】
請求項１に於いて、戸用面付け錠はケース本体７に固定される蓋体９を備え、該蓋体の内壁面には、第１駆動板２０のピン状の駆動軸２２と係合する係合部４３を有するシリンダー側の第２駆動板４０が設けられていることを特徴とする戸用面付け錠。
【発明の詳細な説明】
【０００１】
【発明の属する技術分野】
本発明は、面付け錠に関し、特に戸の端面から受け金具が固着された戸枠或いは相手側の戸の方向へ同期的に突出する鎌片とデッドボルトとを備える戸用面付け錠に関する。
【０００２】
【従来の技術】
従来、この種の面付け錠の一例は、実公昭４５−１８３９９号公報に記載されている。この公報に記載の実施例は、錠ケース本体に駆動、伝動、施錠部材等の複数個の部材が組み込まれている。
【０００３】
しかして、これらの部材は、例えばシリンダーと共に回転する駆動カム、上端部に駆動カムの駆動腕と係合するスパナ形状の中間伝動片、この中間伝動片の下端部に突設された連結ピンを介してその中央部が枢着された左右対称の碇型鎌片、この鎌片と重合しかつ前記中間伝動片がその枢軸を中心にして回転すると、鎌片の回転突出する方向へ同時に水平移動するデッドボルト等から構成されている。
【０００４】
しかしながら、上記構成の面付け錠にあっては、次に列挙するような問題点があった。
（１）まず各部材の組立が面倒である。例えば各部材の組立の際、駆動カムをシリンダーに嵌め込み、次に中間伝動片をシリンダーの駆動腕に係合するようにその枢軸を介して錠ケースに取付け、次に前記枢軸とは別部材の中心軸に碇形状鎌片を軸支すると共に、該鎌片の中央部の係合孔に前記中間伝動片の連結ピンを係合すると言う具合であった。
（２）次に前記（１）の構成のように、部品点数が多い。その結果、面付け錠を安価に製作することができない。
（３）さらに、駆動カムの駆動力がデッドボルトにダイレクトに伝達しないので、各部材の作動がスムースでない。
（４）前記（３）の理由により、操作片等の回動操作に安定感やクリック感を得られない。
【０００５】
【発明が解決しようとする課題】
本発明は以上のような従来の問題点に鑑み、組立が容易であること、安価に製作をすることができること、操作片等の駆動力がダイレクトに鎌片並びにデッドボルトに伝達すること、操作片等の回動操作に安定感やクリック感を得られることを目的とする。
【０００６】
【課題を解決するための手段】
本発明の戸用面付け錠は、戸の端面から戸枠方向へ同期的に突出する鎌片とデッドボルトとを備える戸用面付け錠に於いて、ケース本体７内に、その取付け基部に連設する一端部にピン状の駆動軸２２を有し、かつ、前記取付け基部が表側の摘み３と中心回動軸２１を介して一体的に固定され、かつ前記摘み３と一体不可分に回動する第１駆動板２０を設け、またケース本体７内に、鎌片３０の垂直部を軸支する固定支軸１５を設け、前記摘み３の前記中心回動軸２１を基準にして弧状に揺動する前記駆動軸２２に、鎌片３０の垂直部に形成した垂直案内長孔３２と、この垂直案内長孔３２と常に重なり合うデッドボルト３５の係合孔３７とを嵌め合わせたことを特徴とする。
【０００７】
上記構成に於いて、戸用面付け錠はケース本体７に固定される蓋体９を備え、該蓋体の内壁面には、第１駆動板２０の駆動軸２２と係合する係合部４３を有するシリンダー側の第２駆動板４０が設けられていることを特徴とする。
【０００８】
【発明の実施の形態】
図１は蓋体を外した使用状態の一例を示す概略説明図である。まず、この図１を参照に環境部材を簡単に説明する。なお、本発明の細部については説明ないし図示しない。
Ｘは面付け錠で、この面付け錠Ｘは戸２の端面部の壁面に固着手段を介して取付けられる。普通一般にキー操作によって内筒部材が回転するシリンダーは、戸２の外壁面側に、一方、操作片としての摘み３は、戸２の内壁面側に位置する。
４はストライク，受け片などの受け金具で、この受け金具４は、例えば戸２の端面と対向する戸枠５に固着手段を介して固定されている。もちろん、戸２が親子戸の関係である場合には、受け金具４は相手側の戸５に固定される。したがって、後述する面付け錠Ｘの鎌片３０とデッドボルト３５は、施錠時、戸枠５又は相手側の戸の方向、つまり、受け金具４の受穴６に向かって同期的に突出する。
【０００９】
次に錠箱１は、弁当箱状のケース本体７（図３参照）と、このケース本体７の開口部８に固定的に嵌合する矩形状の蓋体９（図４参照）とから成る。ケース本体７及び蓋体９に形成した貫通状の取付け孔、小切欠部等の説明は省略する。
【００１０】
さて、鎌片３０とデッドボルト３５とを取外した図３を参照にしてケース本体７等を説明する。１０は各部材が設けられている垂直ベース部（化粧板部）で、この垂直ベース部１０には側壁部１１が突壁状に周設されている。１２は側壁部１１の左右に形成された案内切欠部で、この案内切欠部１２にデッドボルトが嵌合し、かつ、水平方向に摺動する。またこの案内切欠部１２から鎌片が回転突出する。
【００１１】
次に図１又は図３を基準にすると、１５は前記垂直ベース部１０の上端部の中央部に設けられた固定支軸で、この固定支軸１５にはメネジ１６が形成されている。この固定支軸１５は、図４に示す蓋体９を図示しない固着具を介して固定する機能を有する。１７は垂直ベース部１０の下端部寄りの左右部に設けられた左右一対のメネジ杆で、これらのメネジ杆１７も前記固定支軸と同様に固着具を介して蓋体を固定する機能を有する。
【００１２】
次に２０は表側の摘み３と該摘み３の中心回動軸２１を介して、不番の取付け基部が一体に設けられた内側の第１駆動板で、この第１駆動板２０は、前記取付け基部に連設する下端部がやや先細りしたヘラ状に形成され、ケース本体７内に回動或は揺動可能に位置している。図３では説明の便宜上、表側の摘み３と、この摘み３の中心回動軸２１とを仮想線で示している。
【００１３】
しかして、第１駆動板２０は、その取付け基部が前記中心回動軸２１に固定されているので、操作片としての摘み３を室内側から回すと、第１駆動板２０も回転する。その意味で摘み３と第１駆動板２０は不可分一体の部材である。第１駆動板２０は、その取付け基部に連設する幅広上端部の中央部にピン状の駆動軸２２を有している。また第１駆動板２０は先細り状下端部にピン状の連結可動軸２３を有している。
【００１４】
次に２５は第１駆動板２０の下端部に、その嵌合上端部２５ａが前記連結可動軸２３を介して枢着された揺動杆で、この揺動杆の下端部２５ｂは、垂直ベース部１０の下端部の中央部を内側に折曲形成した支板２６に摺動自在に支持されている。
【００１５】
２７は揺動杆２５の嵌合上端部２５ａと支板２６との間に設けられた復帰バネで、この復帰バネ２７は、本実施例では揺動杆２５に巻装されたコイルスプリングである。揺動杆２５は、第１駆動板２０が中心回動軸２１を基準として左右に回転すると、支板２６に形成された貫通小孔２６ａを中心に左右に揺動する。この時揺動杆２５は復帰バネ２７のバネ力に抗して多少上下方向にもスライドする。
【００１６】
次に３０は固定支軸１５を介してケース本体７内に揺動自在に設けられた鎌片である。鎌片３０の形状を図５に示す。この図５で示すように鎌片は全体として小船などで使用される碇形状をしている。
【００１７】
しかして、３１は垂直部の上端部に形成された円形の軸孔で、鎌片３０はこの軸孔３１を介してケース本体７の固定支軸１５に振り子状に取付けられる。３２は同じく垂直部に形成された垂直案内長孔で、この垂直案内長孔３２は前記軸孔３０付近から湾曲状掛合部３３の中央部寄りの部位まで形成されている。鎌片３０を固定支軸１５に取付けると、垂直案内長孔３２内には第１駆動板２０の駆動軸２２が位置する。前記湾曲状掛合部３３は左右対称のフック部であり、施錠時、図１で示すように受け金具４の受穴６に入り込んで受け金具４に係合する。
【００１８】
次に３５は第１駆動板２０の駆動軸２２を介してケース本体７に設けられたデッドボルト（以下、「デッド」と称する。）である。デッド３５は前述したようにケース本体の案内切欠部１２に嵌合し、かつ、水平（左右）方向に摺動する。デッド３５は、図６で示すように長板状に形成され、その中央部には突起部３６が連設形成されている。
【００１９】
しかして、前記突起部３６には山形形状の係合孔３７が形成され、該係合孔３７を介して第１駆動板２０の駆動軸２２に係合する。デッド３５と第１駆動板２０とが係合すると、図１で示すようにデッド３５の係合孔３７と鎌片３０の垂直案内長孔３２は常に重なり合っている。したがって、デッド３５は端面Ｌ型、端面チャンネル形状などその形態の如何を問わず、前記駆動軸２２と係合するように互いに重合状態に組合せられている。なお、いずれか一方に突出する両端部の板状施錠部３８，３８は左右同一である。
【００２０】
次に図４及び図９を参照に蓋体９について簡単に説明する。図４で示すように蓋体９の内壁面９ａには第２駆動板４０が回動自在に設けられている。また図９で示すように蓋体９の外壁面には図示しないシリンダーの駆動軸と係合する回転体４１が設けられている。前記回転体４１の軸４２と第２駆動板４０は不可分一体である。この第２駆動板４０も第１駆動板２０と同様に下端部先細りのへら状に形成されているが、上端部に第１駆動板の駆動軸２２と係合する係合部としての係合小孔４３が形成されている点が異なる。
【００２１】
次に本発明の施錠片（鎌片とデッド）の組み合わせについて説明する。例えば図３の状態に於いて、鎌片３０とデッド３５とをケース本体７に取付ける場合には、まず、鎌片３０の軸孔３１をケース本体７の固定支軸１５に嵌め合わせ、次に鎌片３０の垂直案内長孔３２とデッド３５の係合孔３７とを重ね合わせた状態で両方の孔３２，３７に駆動軸２２を嵌め入れる。それで施錠片の組立が直ちに完了する。
【００２２】
次に主要部材の作用について説明する。本発明は、前述したように操作片等の駆動力がダイレクトに鎌片３０並びにデッド３５に伝達することを目的としている。この観点から図７及び図８を参照にして説明する。今仮に摘み３を矢印Ａ（時計方向）へ回転すると、摘み３と第１駆動板２０は一体不可分の関係にあるから、第１駆動板２０は摘み３のダイレクトな動きに従い中心回転軸２１を基準にして矢印Ａ（時計方向）へ回転する。したがって、駆動軸２２も円弧を描きながら同方向へ回転する。前述したように駆動軸２２は鎌片３０とデッド３５の両方の孔３２，３７を貫通しているので、駆動軸２２が円弧を描きながら矢印Ａ方向へ移動すると、鎌片３０はその垂直案内長孔３２を介し、かつ、固定支軸１５を支点に矢印Ｂ（反時計方向）へと回転する。一方、デッド３５は係合孔３７を介し、かつ、ケース本体７の案内切欠部１２に案内されながら鎌片３０と同期的に矢印Ｃ（右方向）へと水平移動する。このように摘み３を操作すると、中心回転軸２１を基準にして弧状に回転する第１駆動板２０のダイレクトな駆動力により二つの施錠片３０，３５は安定的に移動する。
【００２３】
また本発明は、操作片等の回動操作に安定感やクリック感を得られることを目的とする。この観点から説明すると、揺動杆２５は第１駆動板２０の下端部に枢着されていると共に支板２６に摺動自在に支持されているので、復帰バネ２７のバネ力に抗してリンク的な揺動をすると、つまり、第１駆動板２０が図７の垂直状態から図８で示す傾倒状態になり、鎌片３０の湾曲状掛合部３３並びにデッド３５の施錠部３８が受け金具４に係合すると、復帰バネ２７が直ちに復帰するので、「カチャッ」といったような安定感やクリック感を得ることができる。
【００２４】
【実施例】
デッド３５の端面は、本実施例ではチャンネル形状である。したがって、鎌片３０の湾曲状掛合部３３は、デッド３５の施錠部３８に対して出没する。二つの施錠片３０，３５は左右の両勝手（左方の戸、右方の戸）に対応するように同一或いは対象に形成されている。
【００２５】
【発明の効果】
以上の説明から明らかなように、本発明にあっては、次に列挙するような効果がある。
（１）鎌片とデッドとをケース本体に取付ける場合、鎌片の軸孔をケース本体の固定支軸に嵌め合わせた上で鎌片の垂直案内長孔とデッドの係合孔とを重ね合わせ、かつ、これらの孔に駆動軸を嵌め入れるだけで良い。従って、ケース本体に対する施錠片の組込みが極めて簡単である。
（２）摘みと第１駆動板は一体不可分の関係にあるから、第１駆動板は摘みのダイレクトな動きに従い中心回転軸を基準にして回転する。したがって、操作片等の駆動力がダイレクトに鎌片並びにデッドに伝達するので、安定的な作動が得られる。
（３）請求項２に記載の発明は、シリンダー側からキー操作しても前記（１）及び（２）の効果を得ることができる。
（４）構成する部品点数が少ないので、安価に製作をすることができる。
【図面の簡単な説明】
図１乃至図１０は本発明の一実施例を示す各説明図。
【図１】蓋体を取外した内部構造の概略説明図。
【図２】摘みがある表面側から見た説明図。
【図３】蓋体並びに施錠片（鎌片とデッドボルト）を取外した内部構造の概略説明図。
【図４】蓋体の内壁面側の説明図。
【図５】鎌片の説明図。
【図６】デッドボルトの説明図。
【図７】第１駆動板と施錠片との関係を示す説明図（作動の中途状態）。
【図８】施錠時の第１駆動板と施錠片との関係を示す説明図。
【図９】蓋体の外壁面側の説明図。
【図１０】図１の面付け錠に於いて、蓋体を取付けた説明図。
【符号の説明】
Ｘ…面付け錠、１…錠箱、２…戸、３…摘み、４…受け金具、５…戸枠、６…受穴、７…ケース本体、８…開口部、９…蓋体、１０…垂直ベース部、１１…側壁部、１２…案内切欠部、１５…固定支軸、２０…第１駆動板、２１…中心回動軸、２２…駆動軸、２３…連結可動軸、２５…揺動杆、２６…支板、２７…復帰バネ、３０…鎌片、３１…軸孔、３２…垂直案内長孔、３３…掛合部、３５…デッドボルト、３６…突起部、３７…係合孔、３８…施錠部、４０…第２駆動板、４１…回転体、４２…軸、４３…係合小孔。
【図１】
0004235355.tif 000002
【図２】
0004235355.tif 000003
【図３】
0004235355.tif 000004
【図４】
0004235355.tif 000005
【図５】
0004235355.tif 000006
【図６】
0004235355.tif 000007
【図７】
0004235355.tif 000008
【図８】
0004235355.tif 000009
【図９】
0004235355.tif 000010
【図１０】
0004235355.tif 000011